(57)【要約】      （修正有）【課題】健康中敷特に其の使用時に足裏の重要なつぼ位置を指圧すると同時に、内蔵する二種の異種金属の汗成分分解能に依って消臭し、殺菌し、防黴作用を果たすことの出来る薄型で丈夫且つ効果的な健康中敷を提供する。【解決手段】健康中敷特に大、小様々な足の裏つぼ帯域を指圧する突起を備え、発泡性で弾力性ゴム又は合成樹脂より成る第１薄層２とやや厚手の第２底板層３とで被覆されると共に、耐摩耗性の第３層で更に其の表面を被覆された中敷であって、其の足裏前後湧腺つぼ帯域相当位置には、特に円丘状大突起５を夫々設けると共に、土踏まず帯域相当位置には三ヶ月状大突起６を備え、更に前後湧腺円丘状大突起の下面には、略同形の異種金属を埋設し、更に此の埋設金属を、第２底板層を貫通して外部から可視化した事を特徴とする。【選択図】図５
0003191328.tif 000002
【実用新案登録請求の範囲】
【請求項１】
第１、第２の二層より成る吸湿性ゴム又は合成樹脂層と、単一層の多孔質で耐摩耗性の布又は合成樹脂層とより成る靴中敷であって、その足裏の前、後湧腺つぼ帯域相当位置に、適当寸法の復元性を備えた弾力性物質より成る円丘状の大突起を、又土踏まずつぼ帯域相当位置にに同質の三日月状の大突起を夫々備えると共に、此れ等大突起以外の中敷表面には、無数の不規則性小突起を備えるか或いは備えない外形構造より成り、少なくとも前記円丘状大突起下には、夫々高電導性で略同一寸法の異種金属板を接着敷設すると同時に、前記第１、第２の吸湿性ゴム層間の夫々適当位置に、此れ等大突起と異種金属板とを密着内包する一方、前記無数の小突起を前記大突起の曲面上以外の平坦部分に備えた第１層を、前記第２層上に密着した２個の異種金属を含む円丘状大突起及び三日月状大突起の曲面並びにその他の平板部分表面上に接着すると同時に、更に其の全表面上を、前記多孔性で耐摩耗性の布または合成樹脂で被覆する一方、前記埋設異種金属を可視化する為に、第２層の底板の埋設相当部分の一部を開孔した事を特徴とする健康中敷。
【請求項２】
前記異種金属が銅、アルミニューム、等の比較的イオン化傾向の高い金属である事を特徴とする請求項１記載の健康中敷。
【請求項３】
前記前湧腺つぼ帯域相当位置の円丘状大突起が、おたまじゃくし状に前記後湧腺つぼ帯域相当位置の円丘状大突起に向かい略同じ高さで伸延する突起である事を特徴とする請求項１又は２記載の健康中敷。
【請求項４】
前記健康中敷表面前面の足裏指第一関節相当位置に、所定高さ、所定幅の弧状の指枕を設けた事を特徴とする請求項１乃至３何れかに記載の健康中敷。
【考案の詳細な説明】
【考案の詳細な説明】
【技術分野】
【０００１】          本考案は、健康中敷特に其の使用時に足裏の重要なつぼ位置を指圧すると同時に、足首骨格及び筋肉に沿って形成される縦横の湾曲曲線の奇形を矯正すると共に其の内蔵する二種の異種金属の汗成分分解能に依って消臭し、殺菌し、防黴作用を果たすことの出来る薄型で丈夫且つ効果的な健康中敷に関するものである。
【背景技術】
【０００２】          従来、此の種中敷は、商品名ソールドクターとして好評裡に販売されており、この技術的効果を利用してスリッパ、サンダル、靴等に利用されて流通されんとしている。
【特許文献１】  実用新案登録第３０６４９５０号
【特許文献２】  同  第３１２６９６８号
【考案が解決せんとする課題】
【０００３】          此れ等の中敷及びスリッパ、サンダル、等は、従来提案されていない二種類の金属の物理化学的効果及び足裏、足型整形効果を備え、其の特殊な大突起、小突起などの指圧効果により、好評裡に流通市場に受け入れられているが、前記した中敷前後の大突起や、土踏まず部分に設けられた三日月状の大突起や、此れ等大突起下に設けられた金属板等の厚みに加え、此れ等を被覆する吸湿性のポリウレタン層等の積層体に依り、比較的其の厚みが分厚くなり、指圧効果及び脱臭、殺菌効果等は優れた効果を奏し得るも、通常寸法の靴用として使用した場合、足首部分の窮屈感、圧迫感、場合に依っては苦痛感さえも覚える場合も派生した。
【０００４】          この様な場合には、通常使用する靴寸法より大きい寸法の靴又は履物を利用すれば良いが、ファッション性や経済的な面から、当該中敷自体の厚み又は寸法を縮小する必要に迫られていた。
【０００５】          更に又一方では、この中敷を構成する対磨耗性表層例えばサラン布体、其の下層の吸湿性で多孔性のウレタン又は吸湿性ゴム層及びやや硬質の吸湿性ウレタン層の三層内に埋設されている異種金属、例えば銅板及びアルミ板は、前記半円丘状大突起下に埋設された上、前記吸湿性ウレタン層で被覆されているので、外部からは可視する事が出来ず、更に長時間の使用に依って夫々の表面が汚染し、化学変化も派生して、汗等の電解質内へのイオン化傾向が低下し、電気化学的反応が悪くなり、電解質の分解能も低下する欠点も有していた。
この様な欠点課題の解決は、上記特許文献の技術では解決する事が出来ず、別途の解決方法が模索されていた。
【課題を解決する為の手段】
【０００６】          本考案は、この様な問題を解決する為に提案されたものであって、以下の如き特徴を備えた考案である。
即ち、基本的には所望足型のやや弾力性のある吸湿性の発泡性ゴム又は合成樹脂より成る第２底板層と、此の足型の前湧腺、後湧腺つぼ帯域相当位置に、所定寸法の異種金属例えば円形銅板及び円形アルミ板を接着し、此れ等金属の上面に、同一底面を備えた所定高さの円丘状のスポンジ大突起を接着すると同時に、此の足型基板の土踏まずつぼ帯域相当位置に、所定寸法の三ヶ月状の同質スポンジ大突起を固着し、此れ等三大突起の固着された弾力性中敷曲面上を、やや薄手の発泡性ゴム又は合成樹脂より成る吸湿性の第１層で被覆密着させて、前記大突起及び金属板を此れ等両層内に埋設した構造より成るものである。
【０００７】          各の如き本考案の中敷基本は、更にその多孔性吸湿面を、耐摩耗性の布体、例えばサラン、ポリプロピレン等の布体で被覆接着して、足裏との摩擦に依る消耗又は損傷を防止すると共に、前記三大突起の曲面上を除く前記第２層の平面部分には、無数の小突起群を造形して、大突起以外の足裏接触面の指圧を強める如く構成されている。
【０００８】          一方、前記円丘並びに三ヶ月状大突起は、心地よい指圧効果を足裏相当部に与える必要が有り、しかも長期に亘り其の弾力性が継続する如く素材並びに発泡度を適度に選定して製造し、可及的長期に亘り弾力性復元力が減衰しない様に考慮せねば成らない。
【０００９】          一方、前記円丘状突起下に埋設される金属板例えば銅またはアルミ板は、長期に亘り汗成分、食塩、アンモニア、メルカプタン等の化学物質成分に接触し、浸漬されるので、夫々の表面が変化若しくは汚染して伝導率も低下し、消臭、殺菌、防錆等の効果も低下するに到るので、其の対策を急ぐ必要が出来ていた。
【００１０】          そこで本考案に於いては、前記吸湿性第２層の両金属埋設相応部分に、両金属板の一部を可視し得る程度の開孔を設け、必要に応じて其の露出部分を清浄研磨して、汗等の電解質に接触又は浸漬された場合の電導率を復元し得る様に構成されている。
【００１１】          斯くの如く構成する事に依り、此の中敷上で発汗された汗成分は、人体の体重に依り吸湿された発泡体成分から搾り出され、靴底表面と中敷第２層の境界面上、特に前記金属板の底面上に開口された孔空間内に湧出し、此の空間部分の汗成分若しくは汗濃縮蒸気は、其の電導性を高めて汗成分の電解作用を向上させて、上記した消臭、殺菌等の作用効果を向上させる一方、此れ等金属埋設状況を、中敷外部から可視し確認する事が出来るので、使用前後を通じて使用者は、当該中敷の物理的、化学的作用を理解し、其の継続使用効果の判断を推測し且つ確信しする事が出来る。
以下、図面を参照して本考案の好個の実施例を説明する。
【実施例】
【００１２】          図１乃至図３及び図５に示す如き中敷（１）は、本考案の典型的な基本態様を示し、主として吸湿性で弾力性を備えた天然又は合成発泡ゴム系或いは発泡性合成樹脂系の第１薄層（２）と、同質又はやや硬質の吸湿性発泡ゴム或いは発泡性合成樹脂より成る第２層底板（３）とで、足裏の前湧腺、後湧腺つぼ帯域及び土踏まず部に存在する三ヶ月状つぼ帯域とを指圧する、２個の円丘状大突起（４）（５）及び三ヶ月状大突起（６）とを内包接着した構造より成り、此れ等二層の吸湿性で弾力性の発泡体によって被覆形成された中敷本体は、更に其の表層の凹凸面上を、耐摩耗性で且つ透水性の布体例えばサラン布体（１３）で密着被覆した構造より成るものである。【００１３】          又、前記健康中敷（１）の前後湧腺つぼ帯域と土踏まずの三ヶ月状つぼ帯域に接着される大突起（４）（５）及び（６）の素材は、夫々の形状が復元性を有すると共に、吸湿性で弾力性を兼ね備える発泡性天然ゴム或いは発泡性合成樹脂より成るものであると同時に、適当に足裏の前記つぼ帯域を指圧する効果のある物質であるのが好ましく、又前記湧腺帯域指圧用円丘状大突起（４）（５）素材下には、比較的イオン化傾向の高い異種金属例えば、銅、アルミ、（１１）（１０）を接着埋設して、有利に消臭、殺菌作用発揮する如く構成されている。【００１４】          更に又、前記大突起曲面を除く吸湿性発泡ゴム第１薄層（２）の平面部分の表面には、無数の不規則な小突起（７）（７）（７）・・・が設けられ、前記３大突起曲面以外の足裏を終始強く指圧する様に構成されており、其の又上層には、前記した耐摩耗性の布体サラン薄布体（１３）で被覆されており、他方では、中敷表面の足裏の滑り止め効果も兼ね備えている。【００１５】          更に又、前記吸湿性発泡ゴム第１薄層（２）と第２底板層（３）との間に密着間挿されている前記前、後円丘状大突起（４）（５）の下には、上記した如く、所定寸法のアルミ板（１０）、銅板（１１）が接着されていて、発汗時には汗成分（電解質）内をアルミ板（１０）から銅板（１１）に向って、前期吸湿性第１薄層、同第２底板層内を微弱電流が流れ、此れ等層中或いは層面上の汗成分を分解し、発生する活性水素、酸素、塩素等に依って中敷使用雰囲気内を消毒、殺菌し、更に汗成分が分解して発生するアンモニア揮発分を、蒸散させて靴内若しくは中敷上或いは足部表面上を無臭化させる。【００１６】          然しながら、長時間の使用により、夫々の前記金属は、その表面が酸化され、塩分などを含む汗成分の電解質は、分解され難くなり、此れ等両金属の消臭、殺菌等の効果は低下する。
此れを防ぐ為には、両金属の面上の電解に依って堆積するする金属酸化物等を取り除く必要がる。
そこで此れ等金属面を前記吸湿性第２底板層（３）から暴露して、適宜当該中敷を洗浄するか、或いは此れ等表面上の酸化物を研磨して除去する事が好ましい。【００１７】          斯くの如き目的の為に、図３に示す如く、中敷底面層即ち中敷底板第２層（３）上に埋設された２種の金属（１０）（１１）の下面表面に夫々の直径以下の開孔（８）（９）を穿孔し、夫々の埋設金属の一面を可視状態に形成する。【００１８】          この様に中敷底板面の一部を穿孔する事に依り、使用者は、常時中敷内部の情況を推察する事が出来ると同時に、夫々の金属面の酸化による汚れを感知して、必要に応じて中敷全体を洗浄しブラッシングして、夫々の面の汚れを落とすと同時に、各金属面の酸化物を除去して電解能を復元し、効果的に使用する事が出来る。【００１９】          かくて前後湧腺つぼ帯域下の２種の金属板（１０）（１１）は、物理的には、前記弾力性の前後湧腺つぼ帯域の円丘状大突起（４）（５）の下で、発汗時の２電極として作用すると同時に、此れ等密着されている復元弾力性を備えた円丘状大突起素材（１４）例えば発泡性ウレタンの座金的役目を果たし、足裏指圧効果を向上させる役目をも果たしている。【００２０】          又一方、前記の如く可視化された異種金属板部分（８）（９）は、当該中敷の指圧動作中は、前記吸湿性発泡合成ゴム第１、第２層（２）（３）等に吸収された汗成分を、矢印（ｆ）方向に搾り出し、靴底表面（１５）間で形成される前記埋設金属板（８）（９）間の空間部分に滞留させ、指圧動作停止後、即ち歩行停止後、又は脱靴不使用後も、除々に前記二層中に滲出して、其の電解作用を継続し、脱臭、殺菌等の効果を発揮し続ける役目を果たしている。【００２１】          尚、此れ等の効果は、図４に示す他の態様の健康中敷例えば前記基本態様の中敷（１）の前湧腺つぼ帯域指圧用大突起（４）の代わりに、オタマジャクシ状大突起（４４）に変形し、其の胴体部分及び尻尾部分（４７）に依って、足型縦横湾曲奇形を矯正する如くした態様や、更に此の態様の足指第一関節相当部に、所定高さの指枕（４８）を設けた更なる他の態様に於いても、前記した基本態様と同等の作用効果を有する事が実証されてる。
【図面の簡単な説明】
【００２２】
【図１】は、本考案中敷の基本態様の正面図である。
【図２】は、第１図の平面図である。
【図３】は、第１図の底面図である。
【図４】は、他の態様の平面図である。
【図５】は、［図２］の線Ｖ−Ｖに沿って切断した切断面の拡大図である。
【符号の説明】
【００２３】    （１）                基本健康中敷
（２）                吸湿性且つ弾力性の天然ゴム又は合成樹脂第１薄層
（３）                吸湿性且つ弾力性の天然ゴム又は合成樹脂第２底板層
（４）                前湧腺つぼ帯域指圧用円丘状大突起
（５）                後湧腺つぼ帯域指圧用円丘状大突起
（６）                土踏まずつぼ帯域指圧用三ヶ月状大突起
（７）                指圧用小突起
（８）                アルミ板可視孔
（９）                銅板可視孔
（１０）              アルミ板
（１１）              銅板
（１２）              アルミ板又は銅板
（１３）              アクリル表皮層
【図１】
0003191328.tif 000003
【図２】
0003191328.tif 000004
【図３】
0003191328.tif 000005
【図４】
0003191328.tif 000006
【図５】
0003191328.tif 000007